【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
アクセスポイント間でのハンドオーバを調整するための方法であって、
モバイルデバイスが前記アクセスポイント間での頻繁なハンドオーバを経験していると判定するステップと、
前記モバイルデバイスの前記頻繁なハンドオーバの原因を判定するステップと、
頻繁なハンドオーバをピンポンハンドオーバまたは高速で移動するデバイスのハンドオーバに分類することを含めて、前記ハンドオーバの前記原因に基づいて、前記モバイルデバイスの前記頻繁なハンドオーバを分類するステップと、
ハンドオーバ分類に基づいて、前記モバイルデバイスのハンドオーバの頻度を調整するステップと、
を含み、
現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、前記頻繁なハンドオーバは前記ピンポンハンドオーバに分類され、
前記頻繁なハンドオーバが前記ピンポンハンドオーバに分類されないときに、前記頻繁なハンドオーバは前記高速で移動するデバイスのハンドオーバに分類される、
方法。
【請求項２】
前記頻繁なハンドオーバを分類するステップが、ハンドオーバの頻度を判定するステップをさらに含む、請求項1に記載の方法。
【請求項３】
前記モバイルデバイスが前記アクセスポイント間での頻繁なハンドオーバを経験していると判定するステップが、
前記モバイルデバイスのハンドオーバ履歴を取得するステップと、
前記ハンドオーバ履歴に基づいて、前記モバイルデバイスが頻繁なハンドオーバを経験していると判定するステップと
を含む、請求項1に記載の方法。
【請求項４】
前記ハンドオーバ履歴に基づいて、前記モバイルデバイスが頻繁なハンドオーバを経験していると判定するステップが、
過去のアクセスポイント上でモバイルデバイスが費やした平均時間に基づいて、前記モバイルデバイスが頻繁なハンドオーバを経験していると判定するステップを含む、請求項3に記載の方法。
【請求項５】
前記ハンドオーバ履歴に基づいて、前記モバイルデバイスが頻繁なハンドオーバを経験していると判定するステップが、
1つまたは複数のアクセスポイント上でモバイルデバイスが費やした時間に基づいて、前記モバイルデバイスが頻繁なハンドオーバを経験していると判定するステップを含む、請求項3に記載の方法。
【請求項６】
前記ハンドオーバ分類に基づいて、ハンドオーバの頻度を調整するステップが、
前記頻繁なハンドオーバが高速で移動するデバイスのハンドオーバに分類されるとき、別の搬送波または無線技術でマクロセルへのハンドオーバを開始するステップを含む、請求項1に記載の方法。
【請求項７】
ハンドオーバ分類に基づいて、ハンドオーバの頻度を調整するステップが、
前記頻繁なハンドオーバがピンポンハンドオーバに分類されるとき、1つまたは複数のハンドオーバトリガパラメータを調整して、前記モバイルデバイスまたは前記アクセスポイントによるハンドオーバのトリガを遅延させるステップを含む、請求項1に記載の方法。
【請求項８】
前記モバイルデバイスによるハンドオーバのトリガの遅延が、隣接するアクセスポイントのサブセットについて生じる、請求項7に記載の方法。
【請求項９】
ハンドオーバの前記トリガに関連する前記1つまたは複数のパラメータが、測定識別情報パラメータ、イベント識別情報パラメータ、イベントタイプパラメータ、測定タイプパラメータ、報告間隔パラメータ、報告量パラメータ、閾値パラメータ、ヒステリシスパラメータ、トリガまでの時間(TTT)パラメータ、フィルタ係数パラメータ、セル個別オフセット(CIO)パラメータ、使用CIOパラメータ、報告範囲定数パラメータ、測定対象セルパラメータ、および圧縮モードパラメータ、またはそれらの組合せのうちの少なくとも1つを含む、請求項7に記載の方法。
【請求項１０】
コロケートされたマクロセルへの周波数間またはRAT間ハンドオーバをアクセスポイントによって開始するステップをさらに含む、請求項1に記載の方法。
【請求項１１】
アクセスポイント間でのハンドオーバを調整するための装置であって、
モバイルデバイスが前記アクセスポイント間での頻繁なハンドオーバを経験していると判定し、
前記モバイルデバイスの前記頻繁なハンドオーバの原因を判定するステップと、
頻繁なハンドオーバをピンポンハンドオーバまたは高速で移動するデバイスのハンドオーバに分類することを含めて、前記ハンドオーバの前記原因に基づいて、前記モバイルデバイスの前記頻繁なハンドオーバを分類し、
ハンドオーバ分類に基づいて、前記モバイルデバイスのハンドオーバの頻度を調整する
ように構成されたプロセッサ
を備え、
現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、前記頻繁なハンドオーバは前記ピンポンハンドオーバに分類され、
前記頻繁なハンドオーバが前記ピンポンハンドオーバに分類されないときに、前記頻繁なハンドオーバは前記高速で移動するデバイスのハンドオーバに分類される、
装置。
【請求項１２】
前記頻繁なハンドオーバを分類するために、前記プロセッサが、ハンドオーバの頻度を判定するようにさらに構成される、請求項11に記載の装置。
【請求項１３】
前記モバイルデバイスが前記アクセスポイント間での頻繁なハンドオーバを経験しているかどうかを判定するために、前記プロセッサが、
前記モバイルデバイスのハンドオーバ履歴を取得し、
前記ハンドオーバ履歴に基づいて、前記モバイルデバイスが頻繁なハンドオーバを経験していると判定する
ようにさらに構成される、請求項11に記載の装置。
【請求項１４】
前記ハンドオーバ履歴に基づいて、前記モバイルデバイスが頻繁なハンドオーバを経験していると判定するために、前記プロセッサが、
過去のアクセスポイント上で前記モバイルデバイスが費やした平均時間に基づいて、前記モバイルデバイスが頻繁なハンドオーバを経験していると判定するようにさらに構成される、請求項13に記載の装置。
【請求項１５】
前記ハンドオーバ履歴に基づいて、前記モバイルデバイスが頻繁なハンドオーバを経験していると判定するために、前記プロセッサが、
1つまたは複数のアクセスポイント上で前記モバイルデバイスが費やした時間に基づいて、前記モバイルデバイスが頻繁なハンドオーバを経験していると判定するようにさらに構成される、請求項14に記載の装置。
【請求項１６】
前記ハンドオーバ分類に基づいて、ハンドオーバの頻度を調整するために、前記プロセッサが、
前記頻繁なハンドオーバが高速で移動するデバイスのハンドオーバに分類されるとき、別の搬送波または無線技術でマクロセルへのハンドオーバを開始するようにさらに構成される、請求項11に記載の装置。
【請求項１７】
前記ハンドオーバ分類に基づいて、ハンドオーバの頻度を調整するために、前記プロセッサが、
前記頻繁なハンドオーバがピンポンハンドオーバに分類されるとき、1つまたは複数のハンドオーバトリガパラメータを調整して、前記モバイルデバイスまたは前記アクセスポイントによるハンドオーバのトリガを遅延させるようにさらに構成される、請求項11に記載の装置。
【請求項１８】
前記モバイルデバイスによるハンドオーバのトリガの遅延が、隣接するアクセスポイントのサブセットについて生じる、請求項17に記載の装置。
【請求項１９】
ハンドオーバの前記トリガに関連する前記1つまたは複数のパラメータが、測定識別情報パラメータ、イベント識別情報パラメータ、イベントタイプパラメータ、測定タイプパラメータ、報告間隔パラメータ、報告量パラメータ、閾値パラメータ、ヒステリシスパラメータ、トリガまでの時間(TTT)パラメータ、フィルタ係数パラメータ、セル個別オフセット(CIO)パラメータ、使用CIOパラメータ、報告範囲定数パラメータ、測定対象セルパラメータ、および圧縮モードパラメータ、またはそれらの組合せのうちの少なくとも1つを含む、請求項17に記載の装置。
【請求項２０】
ハンドオーバの前記頻度が実質的に変化しない場合、前記プロセッサが、コロケートされたマクロセルへの周波数間またはRAT間ハンドオーバをアクセスポイントによって開始するようにさらに構成される、請求項11に記載の装置。
【請求項２１】
アクセスポイント間でのハンドオーバを調整するための装置であって、
モバイルデバイスが前記アクセスポイント間での頻繁なハンドオーバを経験していると判定するための手段と、
前記モバイルデバイスの前記頻繁なハンドオーバの原因を判定するための手段と、
頻繁なハンドオーバをピンポンハンドオーバまたは高速で移動するデバイスのハンドオーバに分類することを含めて、前記ハンドオーバの前記原因に基づいて、前記モバイルデバイスの前記頻繁なハンドオーバを分類するための手段と、
ハンドオーバ分類に基づいて、前記モバイルデバイスのハンドオーバの頻度を調整するするための手段と、
を備え、
現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、前記頻繁なハンドオーバは前記ピンポンハンドオーバに分類され、
前記頻繁なハンドオーバが前記ピンポンハンドオーバに分類されないときに、前記頻繁なハンドオーバは前記高速で移動するデバイスのハンドオーバに分類される、
装置。
【請求項２２】
前記頻繁なハンドオーバを分類するための手段が、ハンドオーバの頻度を判定するための手段をさらに含む、請求項21に記載の装置。
【請求項２３】
前記モバイルデバイスが前記アクセスポイント間での頻繁なハンドオーバを経験していると判定するための手段が、
前記モバイルデバイスのハンドオーバ履歴を取得するための手段と、
前記ハンドオーバ履歴に基づいて、前記モバイルデバイスが頻繁なハンドオーバを経験していると判定するための手段と
を含む、請求項21に記載の装置。
【請求項２４】
前記ハンドオーバ分類に基づいて、ハンドオーバの頻度を調整するための手段が、
前記頻繁なハンドオーバが高速で移動するデバイスのハンドオーバに分類されるとき、別の搬送波または無線技術でマクロセルへのハンドオーバを開始するための手段を含む、請求項21に記載の装置。
【請求項２５】
前記ハンドオーバ分類に基づいて、ハンドオーバの頻度を調整するための手段が、
頻繁なハンドオーバがピンポンハンドオーバに分類されるとき、1つまたは複数のハンドオーバトリガパラメータを調整して、前記モバイルデバイスまたは前記アクセスポイントによるハンドオーバのトリガを遅延させるための手段を含む、請求項21に記載の装置。
【請求項２６】
ハンドオーバの前記頻度が実質的に変化しない場合、コロケートされたマクロセルへの周波数間またはRAT間ハンドオーバをアクセスポイントによって開始するための手段をさらに備える、請求項21に記載の装置。
【請求項２７】
アクセスポイント間でのハンドオーバを調整するためのコンピュータ実行可能コードを記録する非一時的コンピュータ可読記録媒体であって、
モバイルデバイスが前記アクセスポイント間での頻繁なハンドオーバを経験していると判定するための第1のセットのコードと、
前記モバイルデバイスの前記頻繁なハンドオーバの原因を判定するための第2のセットのコードと、
頻繁なハンドオーバをピンポンハンドオーバまたは高速で移動するデバイスのハンドオーバに分類することを含めて、前記ハンドオーバの前記原因に基づいて、前記モバイルデバイスの前記頻繁なハンドオーバを分類するための第3のセットのコードと、
ハンドオーバ分類に基づいて、前記モバイルデバイスのハンドオーバの頻度を調整するための第4のセットのコードと
を備え、
第3のセットのコードは、現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、前記頻繁なハンドオーバを前記ピンポンハンドオーバに分類し、
第3のセットのコードは、前記頻繁なハンドオーバが前記ピンポンハンドオーバに分類されないときに、前記頻繁なハンドオーバを前記高速で移動するデバイスのハンドオーバに分類する、
非一時的コンピュータ可読記録媒体。
【請求項２８】
前記頻繁なハンドオーバを分類するための前記第3のセットのコードが、ハンドオーバの頻度を判定するための第5のセットのコードをさらに含む、請求項27に記載のコンピュータ可読記録媒体。
【請求項２９】
前記モバイルデバイスがアクセスポイント間での前記頻繁なハンドオーバを経験していると判定するための前記第1のセットのコードが、
前記モバイルデバイスのハンドオーバ履歴を取得するための第5のセットのコードと、
前記ハンドオーバ履歴に基づいて、前記モバイルデバイスが頻繁なハンドオーバを経験していると判定するための第6のセットのコードと
を含む、請求項27に記載のコンピュータ可読記録媒体。
【請求項３０】
前記ハンドオーバ分類に基づいて、ハンドオーバの頻度を調整するための第4のセットのコードが、
頻繁なハンドオーバが高速で移動するデバイスのハンドオーバに分類されるとき、別の搬送波または無線技術でマクロセルへのハンドオーバを開始するための第5のセットのコードを含む、請求項27に記載のコンピュータ可読記録媒体。
【請求項３１】
前記ハンドオーバ分類に基づいて、ハンドオーバの頻度を調整するための前記第4のセットのコードが、
頻繁なハンドオーバがピンポンハンドオーバに分類されるとき、1つまたは複数のハンドオーバトリガパラメータを調整して、前記モバイルデバイスまたは前記アクセスポイントによるハンドオーバのトリガを遅延させるための第5のセットのコードを含む、請求項27に記載のコンピュータ可読記録媒体。
【請求項３２】
ハンドオーバの前記頻度が実質的に変化しない場合、コロケートされたマクロセルへの周波数間またはRAT間ハンドオーバをアクセスポイントによって開始するための第5のセットのコードをさらに備える、請求項27に記載のコンピュータ可読記録媒体。
【請求項３３】
アクセスポイント間でのハンドオーバを調整するための方法であって、
モバイルデバイスの前記アクセスポイント間のハンドオーバを監視し、前記モバイルデバイスがピンポンハンドオーバを経験していると判定するステップであって、現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、頻繁なハンドオーバが前記ピンポンハンドオーバに分類され、前記ハンドオーバが前記ピンポンハンドオーバに分類されないときに、前記ハンドオーバは高速で移動するデバイスのハンドオーバに分類される、ステップと、
前記監視に基づいて、前記モバイルデバイスのためのハンドオーバのトリガに関連する1つまたは複数のパラメータを調整するステップと、
前記モバイルデバイスの後続のハンドオーバを監視するステップであって、前記後続のハンドオーバを監視するステップは、前記モバイルデバイスがピンポンハンドオーバを経験していると判定することを含む、ステップと、
前記モバイルデバイスの前記後続のハンドオーバの監視に基づいて、前記モバイルデバイスのためのハンドオーバの前記トリガに関連する前記1つまたは複数のパラメータを再調整するステップと、
を含む、方法。
【請求項３４】
前記ハンドオーバを監視するステップおよび前記モバイルデバイスが前記ピンポンハンドオーバを経験していると判定するステップが、前記モバイルデバイスが頻繁なハンドオーバを経験していると判定するステップを含む、請求項33に記載の方法。
【請求項３５】
前記ハンドオーバを監視するステップおよび前記モバイルデバイスが前記ピンポンハンドオーバを経験していると判定するステップが、前記モバイルデバイスのハンドオーバ履歴に基づく、請求項33に記載の方法。
【請求項３６】
1つまたは複数のパラメータを調整するステップが、メッセージを前記モバイルデバイスに送るステップを含む、請求項33に記載の方法。
【請求項３７】
前記メッセージが、測定制御(Measurement Control)メッセージである、請求項36に記載の方法。
【請求項３８】
1つまたは複数のパラメータを再調整するステップが、メッセージを前記モバイルデバイスに送るステップを含む、請求項33に記載の方法。
【請求項３９】
前記メッセージが、測定制御(Measurement Control)メッセージである、請求項38に記載の方法。
【請求項４０】
ハンドオーバの前記トリガに関連する前記1つまたは複数のパラメータが、測定識別情報パラメータ、イベント識別情報パラメータ、イベントタイプパラメータ、測定タイプパラメータ、報告間隔パラメータ、報告量パラメータ、閾値パラメータ、ヒステリシスパラメータ、トリガまでの時間(TTT)パラメータ、フィルタ係数パラメータ、セル個別オフセット(CIO)パラメータ、使用CIOパラメータ、報告範囲定数パラメータ、測定対象セルパラメータ、および圧縮モードパラメータ、またはそれらの組合せのうちの少なくとも1つを含む、請求項33に記載の方法。
【請求項４１】
前記後続のハンドオーバを監視するステップが、前記モバイルデバイスが頻繁なハンドオーバを経験していると判定するステップを含む、請求項33に記載の方法。
【請求項４２】
前記後続のハンドオーバを監視するステップが、前記モバイルデバイスのハンドオーバ履歴に基づく、請求項33に記載の方法。
【請求項４３】
アクセスポイント間でのハンドオーバを調整するための装置であって、
モバイルデバイスの前記アクセスポイント間のハンドオーバを監視し、前記モバイルデバイスがピンポンハンドオーバを経験していると判定し、
前記監視に基づいて、前記モバイルデバイスのためのハンドオーバのトリガに関連する1つまたは複数のパラメータを調整し、
前記モバイルデバイスの後続のハンドオーバを監視し、
前記モバイルデバイスの前記後続のハンドオーバの監視に基づいて、前記モバイルデバイスのためのハンドオーバの前記トリガに関連する前記1つまたは複数のパラメータを再調整する、
ように構成されたプロセッサ
を備え、
現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、頻繁なハンドオーバが前記ピンポンハンドオーバに分類され、前記ハンドオーバが前記ピンポンハンドオーバに分類されないときに、前記ハンドオーバは高速で移動するデバイスのハンドオーバに分類され、
前記後続のハンドオーバを監視するステップは、前記モバイルデバイスがピンポンハンドオーバを経験していると判定することを含む、
装置。
【請求項４４】
前記ハンドオーバを監視し、前記モバイルデバイスが前記ピンポンハンドオーバを経験していると判定するために、前記プロセッサが、前記モバイルデバイスが頻繁なハンドオーバを経験していると判定するようにさらに構成される、請求項43に記載の装置。
【請求項４５】
前記プロセッサが、前記モバイルデバイスのハンドオーバ履歴に基づいて、前記ハンドオーバを監視し、前記モバイルデバイスが前記ピンポンハンドオーバを経験していると判定するように構成される、請求項43に記載の装置。
【請求項４６】
前記1つまたは複数のパラメータを調整するために、前記プロセッサが、メッセージを前記モバイルデバイスに送るようにさらに構成される、請求項43に記載の装置。
【請求項４７】
前記メッセージが、測定制御(Measurement Control)メッセージである、請求項46に記載の装置。
【請求項４８】
前記1つまたは複数のパラメータを再調整するために、前記プロセッサが、メッセージを前記モバイルデバイスに送るようにさらに構成される、請求項43に記載の装置。
【請求項４９】
前記メッセージが、測定制御(Measurement Control)メッセージである、請求項48に記載の装置。
【請求項５０】
ハンドオーバの前記トリガに関連する前記1つまたは複数のパラメータが、測定識別情報パラメータ、イベント識別情報パラメータ、イベントタイプパラメータ、測定タイプパラメータ、報告間隔パラメータ、報告量パラメータ、閾値パラメータ、ヒステリシスパラメータ、トリガまでの時間(TTT)パラメータ、フィルタ係数パラメータ、セル個別オフセット(CIO)パラメータ、使用CIOパラメータ、報告範囲定数パラメータ、測定対象セルパラメータ、および圧縮モードパラメータ、またはそれらの組合せのうちの少なくとも1つを含む、請求項43に記載の装置。
【請求項５１】
前記後続のハンドオーバを監視するために、前記プロセッサが、前記モバイルデバイスが頻繁なハンドオーバを経験しているかどうかを判定するようにさらに構成される、請求項43に記載の装置。
【請求項５２】
前記プロセッサが、前記モバイルデバイスのハンドオーバ履歴に基づいて、前記後続のハンドオーバを監視するように構成される、請求項43に記載の装置。
【請求項５３】
アクセスポイント間でのハンドオーバを調整するための装置であって、
モバイルデバイスの前記アクセスポイント間のハンドオーバを監視し、前記モバイルデバイスがピンポンハンドオーバを経験していると判定するための手段であって、現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、頻繁なハンドオーバが前記ピンポンハンドオーバに分類され、前記ハンドオーバが前記ピンポンハンドオーバに分類されないときに、前記ハンドオーバは高速で移動するデバイスのハンドオーバに分類される、手段と、
前記監視に基づいて、前記モバイルデバイスのためのハンドオーバのトリガに関連する1つまたは複数のパラメータを調整するための手段と、
前記モバイルデバイスの後続のハンドオーバを監視するための手段であって、前記後続のハンドオーバを監視するステップは、前記モバイルデバイスがピンポンハンドオーバを経験していると判定することを含む、手段と、
前記モバイルデバイスの前記後続のハンドオーバの監視に基づいて、前記モバイルデバイスのためのハンドオーバの前記トリガに関連する1つまたは複数のパラメータを再調整するための手段と、
を備える装置。
【請求項５４】
前記ハンドオーバを監視し前記モバイルデバイスが前記ピンポンハンドオーバを経験していると判定するための手段が、前記モバイルデバイスが頻繁なハンドオーバを経験していると判定するための手段を含む請求項53に記載の装置。
【請求項５５】
1つまたは複数のパラメータを調整するための手段が、メッセージを前記モバイルデバイスに送るための手段を含む、請求項53に記載の装置。
【請求項５６】
前記メッセージが、測定制御(Measurement Control)メッセージである、請求項55に記載の装置。
【請求項５７】
ハンドオーバの前記トリガに関連する前記1つまたは複数のパラメータが、測定識別情報パラメータ、イベント識別情報パラメータ、イベントタイプパラメータ、測定タイプパラメータ、報告間隔パラメータ、報告量パラメータ、閾値パラメータ、ヒステリシスパラメータ、トリガまでの時間(TTT)パラメータ、フィルタ係数パラメータ、セル個別オフセット(CIO)パラメータ、使用CIOパラメータ、報告範囲定数パラメータ、測定対象セルパラメータ、および圧縮モードパラメータ、またはそれらの組合せのうちの少なくとも1つを含む、請求項53に記載の装置。
【請求項５８】
アクセスポイント間でのハンドオーバを調整するためのコンピュータ実行可能コードを記録する非一時的コンピュータ可読記録媒体であって、
モバイルデバイスの前記アクセスポイント間のハンドオーバを監視し、前記モバイルデバイスがピンポンハンドオーバを経験していると判定するための第1のセットのコードであって、現在のアクセスポイントの無線周波数(RF)ネイバーであるアクセスポイント間で或る回数のハンドオーバが生じた場合、または、前記或る回数のハンドオーバにおいてアクセスポイント識別情報が或る回数繰り返した場合に、頻繁なハンドオーバが前記ピンポンハンドオーバに分類され、前記ハンドオーバが前記ピンポンハンドオーバに分類されないときに、前記ハンドオーバは高速で移動するデバイスのハンドオーバに分類される、第1のセットのコードと、
前記監視に基づいて、前記モバイルデバイスのためのハンドオーバのトリガに関連する1つまたは複数のパラメータを調整するための第2のセットのコードと、
前記モバイルデバイスの後続のハンドオーバを監視するための第3のセットのコードであって、前記後続のハンドオーバを監視するステップは、前記モバイルデバイスがピンポンハンドオーバを経験していると判定することを含む、第3のセットのコードと、
前記モバイルデバイスの前記後続のハンドオーバの監視に基づいて、前記モバイルデバイスのためのハンドオーバの前記トリガに関連する1つまたは複数のパラメータを再調整するための第4のセットのコードと、
を備える、非一時的コンピュータ可読記録媒体。
【請求項５９】
前記ハンドオーバを監視し前記モバイルデバイスが前記ピンポンハンドオーバを経験していると判定するための第1のセットのコードが、前記モバイルデバイスが頻繁なハンドオーバを経験していると判定するための第5のセットのコードを含む、請求項58に記載のコンピュータ可読記録媒体。
【請求項６０】
前記1つまたは複数のパラメータを調整するための前記第2のセットのコードが、メッセージを前記モバイルデバイスに送るための第5のセットのコードを含む、請求項58に記載のコンピュータ可読記録媒体。
【請求項６１】
前記メッセージが、測定制御(Measurement Control)メッセージである、請求項60に記載のコンピュータ可読記録媒体。
【請求項６２】
ハンドオーバの前記トリガに関連する前記1つまたは複数のパラメータが、測定識別情報パラメータ、イベント識別情報パラメータ、イベントタイプパラメータ、測定タイプパラメータ、報告間隔パラメータ、報告量パラメータ、閾値パラメータ、ヒステリシスパラメータ、トリガまでの時間(TTT)パラメータ、フィルタ係数パラメータ、セル個別オフセット(CIO)パラメータ、使用CIOパラメータ、報告範囲定数パラメータ、測定対象セルパラメータ、および圧縮モードパラメータ、またはそれらの組合せのうちの少なくとも1つを含む、請求項58に記載のコンピュータ可読記録媒体。